(57)【要約】      （修正有）【課題】様々なサイズバリエーションの建築物及びその建築足場に対応でき、必要時には素早く取り外す事のできる建築足場養生シートを提供する。【解決手段】養生シート本体７０には、横方向の両端にそれぞれシート側ファスナー１０ａ及びシート側対向ファスナー１０ｂが設けられている。これらのファスナーを連結することにより横方向への連結が容易にでき、建築足場養生シートは、横方向のサイズについて様々な長さに対応できるバリエーションを有している。さらに、縦方向、横方向それぞれの足場パイプに取り付けられる様、縦パイプ用ベルト本体２０ａ、縦パイプ用ベルト側ホック２０ｂ、縦パイプ用シート側ホック２１、横パイプ用ベルト本体３０ａ、横パイプ用ベルト側ホック３０ｂ、横パイプ用シート側ホックを有する。【選択図】図１
0003225545.tif 000002
【実用新案登録請求の範囲】
【請求項１】
複数のシートの端部同士が連続して連結されたシート複合体を構成する各々のシートであって、
シート本体の端部には、シート同士を連結するファスナー部材が長手方向に向かって設けられ、
前記シート本体には足場パイプ取り付け用のベルト及びホックが複数設けられ、
前記シート本体は横方向に様々な長さのバリエーションを有することを特徴とする建築足場養生シート。
【考案の詳細な説明】
【技術分野】
【０００１】  本考案は、主に建築現場や土木現場などにおいて用いられ、例えば建築資材の落下防止、または塗料の飛散防止やその他の養生、防火、防風、防砂、日除け、あるいは建築物の目隠しなどに用いられる建築足場養生シートに関する。
【背景技術】
【０００２】  従来、建築物（ビルやマンション、または住宅など）を建築工事、または改装工事などを行う場合においては、外壁面の外側に仮設足場を組立て、その外側に養生シートを張設して、この養生シートによって仮設足場内での作業で発生する建築資材や塗料等の外部への落下や飛散を防止している。【０００３】  この様な養生シートの設置方法としては、一般的には何枚かのシートを縦方向若しくは横方向に連結する方法が用いられている。その連結方法としては、例えばファスナーを用いたり、面ファスナーを利用したり、或いはハトメなどを利用して連結具を用いる方法などが知られている。また、養生シートを仮設足場に取り付ける方法としては、養生シート同士を連結すると同様にハトメなどを利用して連結具によって足場パイプに取り付ける方法や、縫製などにより取り付けられたベルトを利用して足場パイプに取り付ける方法が知られている。【０００４】  特許文献１には、互いに連結される一方のシートおよび他方のシートが、当該一方のシートにおける連結端縁部および当該他方のシートにおける被連結端縁部の各々に設けられた前記主ファスナー構成部材による主連結手段によって連結されると共に、当該主連結手段による連結部が前記一方のシートにおけるカバーシートによって覆われた状態で、当該カバーシートの一端縁部が、当該他方のシートに設けられた、前記一方の補助ファスナー構成部材と対をなす他方の補助ファスナー構成部材に固定されて、連結構造が形成される技術が開示されている。
特許文献２には、メッシュシートの四周縁にファスナーを取付けた構造が開示されている。
特許文献３には、フレームパイプ間隔と略同一の寸法を有する方形のネットの最外周縁に夫々チャック付ファスナーが取付けられると共に、ネットには適宜間隔の外周域を除いて結縛用組付シート材が縫着され、更に該シート材の裏面から防燃性合成樹脂製スポンジ体が裏打されて前記三者が一体化されてなるシートパネルが開示されている。
特許文献４には、方形状のシートの周囲に開離嵌挿具付スライドファスナーストリンガーが上下および左右に配設させた技術が開示されている。
特許文献５には、矩形に形成されたシート体と、シート体のうち、少なくとも第１外周辺には、第１外周辺の長手方向に沿って所要間隔をあけて第１ベルトが配設され、第１外周辺に向かい合う第２外周辺には、第１外周辺の長手方向における第１ベルトの配設位置に位置合わせした状態で第１ベルト挿通体と第１ベルト締結体とがそれぞれ配設されていることを特徴とする仮設足場用養生シートが開示されている。
【先行技術文献】
【特許文献】
【０００５】
【特許文献１】実用新案登録第３１８７６７５号公報
【特許文献２】実開昭６２−１６５３３７号公報
【特許文献３】実公昭５７−１１０８０号公報
【特許文献４】実公昭５５−１８４３１号公報
【特許文献５】特開２０１８−１２９７９号公報
【考案の概要】
【考案が解決しようとする課題】
【０００６】  ところで、例えば建築現場における外壁工事の場合には、養生シートは屋外に張設してある事がほとんどであるため、強風時には養生シートがそのシート面に風を受け、仮設足場等の支柱と共に倒壊したり、養生シートのみが飛ばされたりするおそれがある。そのため、例えば台風などの強風が予想される場合には、予め養生シートを取り外し畳んで風が抜け易くする必要がある。
また、近年では爆弾低気圧などの現象も多く見られるため、突然の強風時にも簡単に素早く取り外せる構造の養生シートが求められている。【０００７】  特許文献１に係る技術は、互いに連結される一方のシートおよび他方のシートが、当該一方のシートにおける連結端縁部および当該他方のシートにおける被連結端縁部の各々に設けられた前記主ファスナー構成部材による主連結手段によって連結されると共に、当該主連結手段による連結部が前記一方のシートにおけるカバーシートによって覆われた状態で、当該カバーシートの一端縁部が、当該他方のシートに設けられた、前記一方の補助ファスナー構成部材と対をなす他方の補助ファスナー構成部材に固定されて、連結構造が形成されるものである。確かにファスナーにより部材同士の連結を外す事及び面ファスナーを利用した足場パイプとの連結を外す事は簡易にできるかもしれないが、横方向のサイズには何ら触れられておらず、本考案が目的とする、様々なサイズバリエーションの建築物及びその建築足場に対応でき、必要時には素早く取り外す事のできる事を両立することは困難である。【０００８】  特許文献２に係る技術は、メッシュシートの四周縁にファスナーを取付けた構造とするものである。ファスナーによる連結技術によるメリットは記載されているが、簡易な足場パイプとの取り付け方法や、横方向のサイズには何ら触れられておらず、本考案が目的とする、様々なサイズバリエーションの建築物及びその建築足場に対応でき、必要時には素早く取り外す事のできる事を両立することは困難である。【０００９】  特許文献３に係る技術は、フレームパイプ間隔と略同一の寸法を有する方形のネットの最外周縁に夫々チャック付ファスナーが取付けられると共に、ネットには適宜間隔の外周域を除いて結縛用組付シート材が縫着され、更に該シート材の裏面から防燃性合成樹脂製スポンジ体が裏打されて前記三者が一体化されてなるシートパネルである。ファスナーによる連結技術によるメリットは記載されているが、足場パイプとの連結はひもを用いた繁雑な作業が要求されるものであり、また、横方向のサイズには何ら触れられておらず、本考案が目的とする、様々なサイズバリエーションの建築物及びその建築足場に対応でき、必要時には素早く取り外す事のできる事を両立することは困難である。【００１０】  特許文献４に係る技術は、方形状のシートの周囲に開離嵌挿具付スライドファスナーストリンガーが上下および左右に配設されたものである。ファスナーによる連結技術によるメリットは記載されているが、簡易な足場パイプとの取り付け方法や、横方向のサイズには何ら触れられておらず、本考案が目的とする、様々なサイズバリエーションの建築物及びその建築足場に対応でき、必要時には素早く取り外す事のできる事を両立することは困難である。【００１１】  特許文献５に係る技術は、矩形に形成されたシート体と、シート体のうち、少なくとも第１外周辺には、第１外周辺の長手方向に沿って所要間隔をあけて第１ベルトが配設され、第１外周辺に向かい合う第２外周辺には、第１外周辺の長手方向における第１ベルトの配設位置に位置合わせした状態で第１ベルト挿通体と第１ベルト締結体とがそれぞれ配設されてい��ことを特徴とする仮設足場用養生シートである。足場パイプとの連結にはベルト上の部材を用いるのであるが、ベルト孔を通すなどの繁雑な作業が必要になり、また、サイズについては何ら触れられておらず、本考案が目的とする、様々なサイズバリエーションの建築物及びその建築足場に対応でき、必要時には素早く取り外す事のできる事を両立することは困難である。【００１２】  よって先行技術文献に示す技術では、単種類の規格品では縦方向は地面への接地面にて始末できるので良いとしても横方向の長さには対応できず、結局はその端部においては、長さが余って別の方法で連結しなければならなかった。
また、足場パイプへの取り付け方法については、連結部材を用いた方法では面倒であり、またベルトを用いたとしてもベルト孔に通すなどの煩雑な作業を必要としていた。【００１３】  本考案の目的は、以上のような事情に基づいてなされたものであって、様々なサイズバリエーションの建築物及びその建築足場に対応でき、必要時には素早く取り外す事のできる建築足場養生シートを提供するものである。
【課題を解決するための手段】
【００１４】  本考案の建築足場養生シートは、シートの端縁部同士が連結されて主に横方向に連続した長方形状のシートにより構成され、主に屋外で使用されるシートであって、
長方形状のシート本体と、当該シート本体における連結端縁部および当該連結端縁部に対向する被連結端縁部の各々に設けられた互いに対をなすファスナー構成部材と、そのファスナー構成部材近傍及び上下端部に設けられた足場パイプ連結用ベルトとを備えており、
互いに連結されるシート本体同士が、当該一方のシートにおける連結端縁部および当該他方のシートにおける被連結端縁部の各々に設けられた前記主ファスナー構成部材による主連結手段によって連結される。
また、足場パイプ連結ベルトは、ベルト先端及びそれに対向するシート本体に設けられたホックにより簡易な方法で留める事ができる
本考案のシート本体は横方向及び縦方向の長さにおいて、複数のバリエーションを有している。
【考案の効果】
【００１５】  本考案の建築足場養生シートによれば、連結手段を構成するファスナーを係合させることによりシートの連結構造を形成することができるので、シート同士を極めて容易に連結させることができる。しかも、足場パイプ連結ベルトにより足場パイプに容易に着脱する事が可能である。
よって、必要時には素早く取り外す事が可能となる。
また、本考案の建築足場養生シートは、横方向及び縦方向の長さにおいて、複数のバリエーションを有しているので、様々なサイズバリエーションの建築物及びその建築足場に対応できるのである。
【図面の簡単な説明】
【００１６】
【図１】本考案のシート連結構造を示す平面図である。
【図２】本考案の縦方向の足場パイプへの取り付け方法を示す斜視図である。
【図３】本考案の横方向の足場パイプへの取り付け方法を示す斜視図である。
【考案を実施するための形態】
【００１７】  以下に、本考案の一実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本考案は、図面における寸法比率に限定されるものではない。
【００１８】＜建築足場養生シートの構造＞
以下、本考案に係る建築足場養生シートについて、図１を参照しつつ詳細に説明する。
図１は、建築足場養生シート連結構造を示す平面図である。
養生シート本体７０には、横方向の両端にそれぞれシート側ファスナー１０ａ及びシート側対向ファスナー１０ｂが設けられている。これらのファスナーを連結することにより横方向への連結が容易にできる。
また、本考案に係る建築足場養生シートは、横方向Ｘのサイズについて様々な長さに対応できるバリエーションを有している。
シート本体の素材は特に限定されるものではないが、例えばメッシュ状の目隠し可能な部材でも良いし、防炎素材を用いた素材でも良い。
＜建築足場養生シートの使用方法＞
以下、本考案に係る建築足場養生シートの使用方法について、図２から図３を参照しつつ詳細に説明する。
【００１９】  図２に示す様に、縦方向足場パイプ５０への取り付けを行う際には、ファスナー同士を連結した後、縦パイプ用ベルト本体２０ａが縦方向足場パイプ５０の周囲を回り込む様にして、縦パイプ用ベルト側ホック２０ｂを縦パイプ用シート側ホック２１に嵌合して留める。
【００２０】  次に図３に示す様に、横方向足場パイプ６０への取り付けを行う際には、ファスナー同士を連結した後、横パイプ用ベルト本体３０ａが横方向足場パイプ６０の周囲を回り込む様にして、横パイプ用ベルト側ホック３０ｂを横パイプ用シート側ホック３１に嵌合して留める。
【００２１】  以上、本考案の一実施形態について説明したが、本考案は上記の実施形態に限定されるものではなく、種々の変更を加えることができる。
例えば、上記の実施形態においては、シートが横方向のみに連結される場合について説明したが、本考案に係る建築足場養生シートは、シートの縦方向または全周方向に他のシートが連結可能に構成されていてもよい。
【００２２】  また、本考案の建築足場養生シートの連結手段としては、面ファスナーなどの長尺連結手段を用いることが可能である。
【符号の説明】
【００２３】  １０ａ・・シート側ファスナー
１０ｂ・・シート側対向ファスナー
２０ａ・・縦パイプ用ベルト本体
２０ｂ・・縦パイプ用ベルト側ホック
２１・・・縦パイプ用シート側ホック
３０ａ・・横パイプ用ベルト側本体
３０ｂ・・横パイプ用ベルト側ホック
３１・・・横パイプ用シート側ホック
５０・・・縦方向足場パイプ
６０・・・横方向足場パイプ
７０・・・養生シート本体
【図１】
0003225545.tif 000003
【図２】
0003225545.tif 000004
【図３】
0003225545.tif 000005